【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
被計測者の脈波を測定する際に被計測者に巻回されることにより装着される脈波測定用電極ユニットであって、
一対の電流印加用電極および第１の一対の電圧計測用電極を含み、測定に際して被計測者の体表面に接触する複数の電極と、
被計測者に装着された状態において被計測者の体表面に対向する第１主面と、厚さ方向において前記第１主面の反対側の面である第２主面とを有し、前記第１主面側に前記複数の電極を支持する支持部材と、
流体を出し入れすることにより膨縮可能に構成され、測定に際して膨張することにより前記複数の電極を被計測者の体表面に向けて押圧する流体袋と、を備え、
前記支持部材は、被計測者に装着された状態において周方向となる長さ方向と、前記長さ方向および前記厚さ方向に直交する幅方向とを有し、
前記複数の電極は、前記幅方向に並んで配置され、
互いに隣り合う前記電極間のそれぞれに、前記厚さ方向に前記電極に重なる部分よりも剛性が低い低剛性部が設けられており、
前記流体袋は、前記幅方向に互いに離間して配置されるとともに、前記複数の電極と前記支持部材の前記第１主面との間にそれぞれ配置される複数の分割袋を有し、
前記低剛性部の低い剛性は、互いに隣り合う前記分割袋の間に隙間が設けられていることによってもたらされる、脈波測定用電極ユニット。
【請求項２】
被計測者の脈波を測定する際に被計測者に巻回されることにより装着される脈波測定用電極ユニットであって、
一対の電流印加用電極および第１の一対の電圧計測用電極を含み、測定に際して被計測者の体表面に接触する複数の電極と、
被計測者に装着された状態において被計測者の体表面に対向する第１主面と、厚さ方向において前記第１主面の反対側の面である第２主面とを有し、前記第１主面側に前記複数の電極を支持する支持部材と、
流体を出し入れすることにより膨縮可能に構成され、測定に際して膨張することにより前記複数の電極を被計測者の体表面に向けて押圧する流体袋と、を備え、
前記支持部材は、被計測者に装着された状態において周方向となる長さ方向と、前記長さ方向および前記厚さ方向に直交する幅方向とを有し、
前記複数の電極は、前記幅方向に並んで配置され、
互いに隣り合う前記電極間のそれぞれに、前記厚さ方向に前記電極に重なる部分よりも剛性が低い低剛性部が設けられており、
前記複数の電極は、前記第１主面上に設けられ、
前記流体袋は、前記第２主面側に配置され、
前記低剛性部の低い剛性は、互いに隣り合う前記電極間のそれぞれに位置する部分の前記支持部材に切欠部または開口部が設けられていることによってもたらされ、
前記流体袋は、前記支持部材に設けられた前記切欠部または前記開口部に対応する部分が、切欠部または開口部となっている、脈波測定用電極ユニット。
【請求項３】
前記複数の電極は、第２の一対の電圧計測用電極を含み、
前記一対の電流印加用電極の間に、前記第１の一対の電圧計測用電極および前記第２の一対の電圧計測用電極が配置されている、請求項１または２に記載の脈波測定用電極ユニット。
【請求項４】
請求項１から３のいずれか１項に記載の脈波測定用電極ユニットと、
前記脈波測定用電極ユニットを支持し、被計測者の被計測部位に巻回可能に構成されたベルト部材と、を備えた脈波測定装置。
【手続補正２】
【補正対象書類名】明細書
【補正対象項目名】００１９
【補正方法】変更
【補正の内容】
【００１９】
ベルト２０は、左手首９０を周方向に沿って取り巻くように、細長い帯状形状を有する。ベルト２０の幅方向Ｙの寸法（幅寸法）は、たとえば３０ｍｍ程度である。ベルト２０は、外周面２０ｂを構成する帯状体２３と、当該帯状体２３の内周面２３ａに沿って取り付けられ、かつ、左手首９０に接する内周面２０ａを構成する圧迫カフ２１とを含む。圧迫カフ２１は、ベルト２０と同様に、左手首９０の周方向に沿って取り巻くように、細長い帯状形状を有する。
【手続補正３】
【補正対象書類名】明細書
【補正対象項目名】００４４
【補正方法】変更
【補正の内容】
【００４４】
ＣＰＵ１００は、メモリ５１に記憶された血圧計１を制御するためのプログラムに従って、制御部として各種機能を実行する。たとえば、オシロメトリック法による血圧測定を実行する場合は、ＣＰＵ１００は、操作部５２からの血圧測定開始の指示に応じて、第１圧力センサ３１からの信号に基づいて、ポンプ３２（および弁３３）を駆動する。また、ＣＰＵ１００は、たとえば第１圧力センサ３１からの信号に基づいて、血圧値を算出する。
【手続補正４】
【補正対象書類名】明細書
【補正対象項目名】００４６
【補正方法】変更
【補正の内容】
【００４６】
通信部５９は、ＣＰＵ１００によって制御されて所定の情報を、ネットワーク９００を介して外部の装置に送信したり、外部の装置からの情報を、ネットワーク９００を介して受信してＣＰＵ１００に受け渡したりする。このネットワーク９００を介して通信は、無線、有線のいずれでもよい。この実施形態において、ネットワーク９００は、インターネット（登録商標）であるが、これに限定されず、病院内ＬＡＮのような他のネットワークであってもよいし、ＵＳＢケーブルなどを用いた１対１の通信であってもよい。この通信部５９は、ＵＳＢコネクタを含んでいてもよい。
【手続補正５】
【補正対象書類名】明細書
【補正対象項目名】００５７
【補正方法】変更
【補正の内容】
【００５７】
一般的なオシロメトリック法に従って血圧を測定する場合、概ね、次のような動作が行なわれる。被験者の被測定部位（腕など）に予めカフを巻き付けておき、測定時には、ＣＰＵ１００は、ポンプ３２および弁３３を制御して、カフ圧を最高血圧より高く加圧し、その後徐々に減圧していく。この減圧する過程において、カフ圧を圧力センサで検出し、被測定部位の動脈で発生する動脈容積の変動を脈波信号として取り出す。その時のカフ圧の変化に伴う脈波信号の振幅の変化（おもに立ち上がりと立ち下がり）に基づいて、最高血圧（収縮期血圧）と最低血圧（拡張期血圧）とを算出する。
【手続補正６】
【補正対象書類名】明細書
【補正対象項目名】００７０
【補正方法】変更
【補正の内容】
【００７０】
図７は、実施の形態１に係る血圧計がオシロメトリック法による血圧測定を行なう際の
動作フローを示す図である。
【手続補正７】
【補正対象書類名】明細書
【補正対象項目名】００９８
【補正方法】変更
【補正の内容】
【００９８】
複数の分割袋２４１〜２４６は、エア配管３９ｂによってポンプ３２に接続されている。エア配管３９ｂの一端側は、ポンプ３２に接続され、エア配管３９ｂの他端側は、分岐して複数の分割袋２４１〜２４６に接続される。
【手続補正８】
【補正対象書類名】明細書
【補正対象項目名】０１０９
【補正方法】変更
【補正の内容】
【０１０９】
脈波測定用電極ユニット２００Ａにおいては、互いに隣り合う電極間のそれぞれに、厚さ方向に電極に重なる部分Ｒ１よりも剛性が低い低剛性部Ｒ２が設けられている。低剛性部Ｒ２の低い剛性は、互いに隣り合う電極間のそれぞれに位置する部分の支持部材２１０Ａに開口部２１３ａ〜２１３ｅが設けられていることによってもたらされる。
【手続補正９】
【補正対象書類名】明細書
【補正対象項目名】０１１９
【補正方法】変更
【補正の内容】
【０１１９】
このように構成される場合であっても、実施の形態３に係る脈波測定用電極ユニット２００Ｂは、実施の形態２に係る脈波測定用電極ユニット２００Ａとほぼ同様の効果が得られる。
【手続補正１０】
【補正対象書類名】明細書
【補正対象項目名】０１２３
【補正方法】変更
【補正の内容】
【０１２３】
複数の切欠部２１４ａ〜２１４ｅは、互いに隣り合う電極間のそれぞれに設けられている。複数の切欠部２１４ａ〜２１４ｅは、支持部材２１０Ｃの長さ方向Ｌにおける一端側に開口するように設けられている。
【手続補正１１】
【補正対象書類名】明細書
【補正対象項目名】０１２４
【補正方法】変更
【補正の内容】
【０１２４】
なお、複数の切欠部２１４ａ〜２１４ｅは、支持部材２１０Ｃの長さ方向Ｌにおける他端側に開口するように設けられていてもよいし、支持部材２１０Ｃの長さ方向Ｌにおける一端側および他端側に交互に開口するように設けられていてもよい。
【手続補正１２】
【補正対象書類名】明細書
【補正対象項目名】０１２５
【補正方法】変更
【補正の内容】
【０１２５】
押圧カフ２４Ｂは、支持部材２１０Ｃに設けられた切欠部２１４ａ〜２１４ｅに対応する部分が、切欠部２４１Ｃ〜２４５Ｃとなっている。
【手続補正１３】
【補正対象書類名】明細書
【補正対象項目名】０１２６
【補正方法】変更
【補正の内容】
【０１２６】
実施の形態４においては、切欠部２１４ａ〜２１４ｅおよび切欠部２４１Ｃ〜２４５Ｃの周囲に位置する部分の脈波測定用電極ユニット２００Ｃが低剛性部Ｒ２となる。この低剛性部Ｒ２の低い剛性は、切欠部２１４ａ〜２１４ｅおよび切欠部２４１Ｃ〜２４５Ｃが設けられることによってもたらされる。
【手続補正１４】
【補正対象書類名】明細書
【補正対象項目名】０１３０
【補正方法】変更
【補正の内容】
【０１３０】
なお、実施の形態４においては、押圧カフ２４Ｃに切欠部２４１Ｃ〜２４５Ｃが設けられる場合を例示して説明したが、これに限定されず、切欠部２４１Ｃ〜２４５Ｃが設けられていなくてもよい。この場合には、互いに隣り合う電極間のそれぞれに設けられた低剛性部Ｒ２の低い剛性は、互いに隣り合う電極間のそれぞれに位置する部分の支持部材２１０Ｃに切欠部２１４ａ〜２１４ｅが設けられていることによってもたらされる。
【手続補正１５】
【補正対象書類名】図面
【補正対象項目名】図８
【補正方法】変更
【補正の内容】
【図８】
2019051009.tif 000001